(57)【要約】【課題】  発射された弾丸からその弾丸の固有情報を電気的に読み取り、流通過程における弾丸の所有者および発射直前の弾丸の所有者を確認可能とする。【解決手段】  鉛製等のコア１１をメタルジャケット１６で被覆してなる弾丸１０であって、弾底部１０Ｂにおいてコア１１の底面が露出している銃器用弾薬の弾丸１０においては、コア１１の底面１５に凹陥部１３を形成し、ＩＤコードを書き込んだＩＣメモリチップＭＴを搭載して充填材料１４で封止する。また、コア１１の底面１５全体がメタルジャケット１６によって被覆されている弾丸においては、コア１６とメタルジャケット１６との間にＩＣメモリチップＭＴ挟み込む。弾丸１０が発射されて弾頭部１０Ｆが変形しても変形が及ばない弾底部１０Ｂに搭載されたＩＣメモリチップＭＴの機能は維持される。【選択図】  図１
2006071179.tif 000002
【特許請求の範囲】
【請求項１】
メタルジャケットが弾底部において開口していることにより、弾底部においてコアの底面が露出している銃器用弾薬の弾丸において、
コアの底面に凹陥部を形成し、該凹陥部にＩＤコードの書込みが可能なＩＣメモリチップを搭載して充填材料で封止してなる銃器用弾薬の弾丸。
【請求項２】
メタルジャケットが弾底部に及んで閉じていることにより、コアの底面全体がメタルジャケットによって被覆されている銃器用弾薬の弾丸において、
弾底部のメタルジャケットに透孔を形成し、該透孔内にＩＤコードの書込みが可能なＩＣメモリチップを搭載して充填材料で封止してなる銃器用弾薬の弾丸。
【請求項３】
メタルジャケットが弾底部に及んで閉じていることにより、コアの底面全体がメタルジャケットによって被覆されている銃器用弾薬の弾丸において、
コアの底面に凹陥部を形成し、該凹陥部にＩＤコードの書込みが可能なＩＣメモリチップを搭載し、ＩＣメモリチップをコアの底面とメタルジャケットとの間に挟み込んでなる銃器用弾薬の弾丸。
【請求項４】
メタルジャケットが弾底部に及んで閉じていることにより、コアの底面全体がメタルジャケットによって被覆されている銃器用弾薬の弾丸において、
弾底部を被覆するメタルジャケットの底面に外側に膨出する膨出部を形成し、該膨出部内にＩＤコードの書込みが可能なＩＣメモリチップを搭載し、ＩＣメモリチップをコアの底面とメタルジャケットとの間に挟み込んでなる銃器用弾薬の弾丸。
【請求項５】
前記充填材料が電波を通過する組成物であって、前記ＩＣメモリチップが受信した電波を電源として書き込まれたＩＤコードを送信するアンテナ内蔵のパッシブ型ＩＣメモリチップであることを特徴とする請求項１または請求項２に記載の銃器用弾薬の弾丸。
【請求項６】
前記ＩＣメモリチップのメモリ素子がＲＯＭであることを特徴とする請求項１ないし請求項５のいずれか１項に記載の銃器用弾薬の弾丸。
【請求項７】
基底部に雷管を備え、内部空間に発射薬を収容し、前端開口に弾丸を装着するようにしてなる銃器用弾薬の薬莢において、
薬莢の外側表面に多数の凹陥部を形成し、該多数の凹陥部のいずれかにＩＤコードの書込みが可能なＩＣメモリチップを搭載し、全ての凹陥部を不透明な充填材料で封止してなり、
前記充填材料が電波を通過する組成物であって、前記ＩＣメモリチップが受信した電波を電源として書き込まれたＩＤコードを送信するアンテナ内蔵のパッシブ型ＩＣメモリチップであることを特徴とする銃器用弾薬の薬莢。
銃器用弾薬の薬莢。
【請求項８】
前記ＩＣメモリチップのメモリ素子がＲＯＭであることを特徴とする請求項７に記載の銃器用弾薬の薬莢。
【請求項９】
請求項７または請求項８に記載の薬莢の前端開口に、請求項１ないし請求項６のいずれか１項に記載の弾丸を装着してなり、該弾丸に搭載されるＩＣメモリチップのＩＤコードと前記薬莢に搭載されるＩＣメモリチップのＩＤコードとが同一または関連付けされていることを特徴とする銃器用弾薬。
【発明の詳細な説明】
【技術分野】
【０００１】
本発明は、銃器用弾薬とその弾丸および薬莢について、現在の所有者および使用されたものについては、直前の所有者を簡単に特定することができるとともに、現在の所有者または直前の所有者に至るまでの流通経路を遡及的に確認可能とした銃器用弾薬とその弾丸および薬莢に関する。
【背景技術】
【０００２】
半導体集積回路技術の発達によって大容量のＩＤコードを格納することができるＩＣメモリチップの漸進的な小型化が達成され、「ＩＣタギング」という考え方が一部の物品で実施化されるとともに、その他の広汎な物品を対象として実現可能な現実感を伴なって浮上してきている。
【０００３】
「ＩＣタギング」の考え方の枢軸とするところは、市場社会に流通するところの個々の物品に、その物品の履歴や属性を記録したＩＣメモリチップを除去困難な手段によって付着させておき、任意の流通過程における必要に基づいてＩＣメモリチップに記録された情報を読取りチェックすることによって、その物品の出所や属性、および読取りチェック場所等を遡及的に確認可能とする機能を付与することである。この用途に利用されるＩＣメモリチップは、主にＲＯＭであり、流通経路は、ＩＣメモリチップを読み取る装置であるＩＣリーダ側に記録保存されることとなる。
【０００４】
「ＩＣタギング」における別の考え方は、個々の物品に付着したＩＣメモリチップに対し、任意の流通過程における必要に基づいて順次に特定の情報を書き込むことによって、本来の出所や属性の確認機能の他、個々の物品の検品チェック機能、流通経路表示機能等を発揮させようとするものである。この用途に使用されるＩＣメモリチップは、主にＲＡＭであり、当初の情報が悪意で書き換えられるおそれがある反面で、事後的に情報を書き込むことができることが利点となる。
【０００５】
それぞれの長所と短所を有する「ＩＣタギング」における上記いずれの考え方を採用するにしても、通常の市場流通商品については、「ＩＣタギング」を実施するか否か、例えば、現在のバーコードに代えてＩＣメモリチップを用いるか否かは、市場側からの需要と、商品を市場に供給する企業側のマーケット政策の問題に過ぎない。すなわち、「ＩＣタギング」を実施することに関しては、ＩＣメモリチップのサイズ、情報記憶容量、付着方法等の観点での技術的な問題点は存在しない。
【発明の開示】
【発明が解決しようとする課題】
【０００６】
一方で、「ＩＣタギング」を実施することが好ましいにもかかわらず、対象物品が極めて過酷な使用条件に曝されることから、「ＩＣタギング」を実施することが技術的に困難と考えられる物品が存在する。銃器用弾薬、弾丸、薬莢がこのような物品に該当する。
【０００７】
すなわち、銃器用弾薬等における「ＩＣタギング」が実施されたとすれば、上記のようにＩＣメモリチップに記録された情報から、弾薬等の出所や流通経路および発射直前の所有者等が判明することとなり、弾薬の在庫管理、保管管理、銃犯罪の捜査等に寄与するばかりでなく、銃犯罪の抑止力としても効果的に機能することができる。しかし、社会がこのような極めて有益な効果を享受するためには、特に、銃犯罪等に際して被害者側に残留することとなる弾丸に搭載したＩＣメモリチップが発射後において正常に機能する必要がある。このためには、次のような技術的困難性が解決されなければならない。
【０００８】
弾丸における「ＩＣタギング」の困難性は、弾丸に搭載したＩＣメモリチップに発射に際して過酷な負荷が加わることである。負荷の内容は、発射薬の燃焼による熱負荷、圧力負荷、銃身内壁との摩擦による摩擦熱負荷、摩擦による機械負荷、発射および標的に命中した際の急激な速度変化に基づくＧ負荷、弾丸の変形による複合的な機械負荷等である。
【０００９】
本発明は、銃器用弾薬について「ＩＣタギング」を実施するに際して要求される上記技術的課題をＩＣメモリチップの搭載位置や搭載方法、搭載するＩＣメモリチップの選択によって解決し、特に、弾丸に搭載したＩＣメモリチップが弾丸の発射後においても有効に機能することを確保し、銃犯罪における犯人の特定機能および銃犯罪自体の事前抑止機能を発揮するようにした銃器用弾薬、薬莢および弾丸を提供することを目的とする。
【課題を解決するための手段】
【００１０】
この目的を達成するための手段として、本発明は、次のような構成を採用する。
【００１１】
本発明の請求項１に記載の銃器用弾薬の弾丸は、メタルジャケットが弾底部において開口していることにより、弾底部においてコアの底面が露出している銃器用弾薬の弾丸において、コアの底面に凹陥部を形成し、この凹陥部にＩＤコードの書込みが可能なＩＣメモリチップを搭載して充填材料で封止してなる。
【００１２】
上記構成にかかる銃器用弾薬の弾丸に関し、銃器用弾薬の弾丸の弾頭部は、通常、銃器用弾薬の用途に応じて特定の変形または破壊をすることが予定されている。しかし、弾丸の弾底部については、通常、このような変形または破壊をすることが予定されておらず、経験則的にも、通常は発射前の状態で保存される。したがって、弾丸の弾底部に形成した凹陥部に搭載されて充填材料で封止されたＩＣメモリチップは、破壊されずに保存される。そこで、ＩＣメモリチップに書き込まれたＩＤコードを読み取ることで、弾丸の出所や、出所から追求される販売店、買受け人の時系列的な手掛かりを得ることができる。なお、ＩＣメモリチップ封止している充填材料は、発射薬の燃焼による熱負荷に対しては、その熱伝導性に応じて瞬間的な断熱材として機能するとともに、Ｇ負荷に対しては、瞬間的な緩衝材として機能する。また、弾丸の弾底部は、弾丸の発射に際して銃身との摩擦は生じない。
【００１３】
本発明の請求項２に記載の銃器用弾薬の弾丸は、メタルジャケットが弾底部に及んで閉じていることにより、コアの底面全体がメタルジャケットによって被覆されている銃器用弾薬の弾丸において、弾底部のメタルジャケットに透孔を形成し、透孔内にＩＤコードの書込みが可能なＩＣメモリチップを搭載して充填材料で封止してなる銃器用弾薬の弾丸。
【００１４】
上記構成にかかる銃器用弾薬の弾丸は、メタルジャケットが弾底部に及んで閉じている弾丸について、請求項１に記載の弾丸と実質的に同様の状態でＩＣメモリチップを取り付けることを意図するものであり、実質的に請求項１に記載の弾丸と同様の作用、機能を発揮する。
【００１５】
本発明の請求項３に記載の銃器用弾薬の弾丸は、メタルジャケットが弾底部に及んで閉じていることにより、コアの底面全体がメタルジャケットによって被覆されている銃器用弾薬の弾丸において、コアの底面に凹陥部を形成し、この凹陥部にＩＤコードの書込みが可能なＩＣメモリチップを搭載し、ＩＣメモリチップをコアの底面とメタルジャケットとの間に挟み込んでなる。
【００１６】
上記構成にかかる銃器用弾薬の弾丸は、コアの底面に搭載されたＩＣメモリチップがコアの底面を覆うメタルジャケットによって、弾丸の発射に際しての圧力負荷、熱負荷から保護されるので、比較的外的負荷に弱いタイプのＩＣメモリチップを採用することが可能となる。
【００１７】
本発明の請求項４に記載の銃器用弾薬の弾丸は、メタルジャケットが弾底部に及んで閉じていることにより、コアの底面全体がメタルジャケットによって被覆されている銃器用弾薬の弾丸において、弾底部を被覆するメタルジャケットの底面に外側に膨出する凹陥部を形成し、この凹陥部にＩＤコードの書込みが可能なＩＣメモリチップを搭載し、ＩＣメモリチップをコアの底面とメタルジャケットとの間に挟み込んでなる。
【００１８】
上記構成にかかる銃器用弾薬の弾丸は、ＩＣメモリチップがメタルジャケットを外側に膨出させた膨出部内に搭載されている。小さな膨出部は、圧力に対して形状的に大きな耐久力を発揮することができるので、内部のＩＣメモリチップを効果的に保護することができる。
【００１９】
本発明の請求項５に記載の銃器用弾薬の弾丸は、ＩＣメモリチップを封止する充填材料が電波を通過する組成物であって、かつ、ＩＣメモリチップが受信した電波を電源として書き込まれたＩＤコードを送信するアンテナ内蔵のパッシブ型ＩＣメモリチップであることを特徴とする。
【００２０】
上記構成にかかる銃器用弾薬の弾丸は、ＩＣメモリチップに内蔵されたアンテナに適合する所定周波数の電波を送信すると、アンテナは、充填材料を介して電波を受信し、アンテナに誘導電気が発生する。そこで、ＩＣメモリチップは、これを電源として起動し、書き込まれているＩＤコードを充填材料を介して外部に自動的にすることができるので、弾丸からＩＣメモリチップを摘出する作業を要することなく、しかも、ＩＣメモリチップから送信される電波の受信可能な範囲において、非接触で弾丸に付与された固有のＩＤコードを読み取ることができる。
【００２１】
本発明の請求項６に記載の銃器用弾薬の弾丸は、上記所定の形態で弾丸に搭載されるところのＩＣメモリチップのメモリ素子がＲＯＭであることを特徴とする。
【００２２】
上記構成にかかる銃器用弾薬の弾丸は、弾丸に搭載されているＩＣメモリチップに記録されたＩＤコードを書き換えることができないので、ＩＣ関連の特殊な知識を有する者による偽装犯罪の発生を未然に阻止することができる。
【００２３】
本発明の請求項７に記載の銃器用弾薬の薬莢は、基底部に雷管を備え、内部空間に発射薬を収容し、前端開口に弾丸を装着するようにしてなる銃器用弾薬の薬莢において、薬莢の外側表面に多数の凹陥部を形成し、多数の凹陥部のいずれかにＩＤコードの書込みが可能なＩＣメモリチップを搭載し、全ての凹陥部を不透明な充填材料で封止してなり、この際の充填材料が電波を通過する組成物であって、かつ、ＩＣメモリチップが受信した電波を電源として書き込まれたＩＤコードを送信するアンテナ内蔵のパッシブ型ＩＣメモリチップであることを特徴とする。
【００２４】
上記構成にかかる銃器用弾薬の薬莢は、薬莢に弾丸が取り付けられて銃器用弾薬として完成された状態においても、ＩＣメモリチップは、銃器用弾薬の外側表面に位置することとなる。したがって、完成された銃器用弾薬に所定の周波数の電波を送信することによりＩＣメモリチップを起動させることができるので、例えば、複数の銃器用弾薬を箱詰めしたカートン入りの銃器用弾薬単位で銃器用弾薬の存在を非接触で認識することができる。なお、多数の凹陥部を不透明な充填材料で封止するのは、薬莢に搭載されたＩＣメモリチップを悪意で除去しようとする作業を困難ならしめる趣旨である。
【００２５】
本発明の請求項８に記載の銃器用弾薬の薬莢は、薬莢に搭載するＩＣメモリチップのメモリ素子がＲＯＭであることを特徴とする。
【００２６】
上記構成にかかる銃器用弾薬の薬莢は、上記請求項６に記載の銃器用弾薬の弾丸におけるＩＣメモリチップのメモリ素子におけると同様に、ＩＤコードの書き換えによる知能犯罪を予防することができる。
【００２７】
本発明の請求項９に記載の銃器用弾薬は、上記いずれかの構成を有する本発明の薬莢に上記いずれかの構成を有する本発明の弾薬を取り付けて銃器用弾薬として完成させることを要旨とする。ただし、この際に弾丸に搭載されるＩＣメモリチップのＩＤコードと薬莢に搭載されるＩＣメモリチップのＩＤコードとが同一または関連付けされていることを特徴とする。
【００２８】
上記構成にかかる銃器用弾薬は、薬莢に搭載したＩＣメモリチップによって未使用の銃器用弾薬銃の流通経路をトレースすることができるとともに、銃が犯罪に使用される場合においては、例えば、発射現場に薬莢が残された場合において、いずれの者がこの場所で銃を使用したか等を特定することができるので、銃撃された被害者が犯行現場から移動して死亡したような場合においても、被害者から摘出される弾丸に付与されたＩＤコードと薬莢に付与されたＩＤコードとの符号により、銃の使用者および犯行現場の特定等を短時間内に行なうことができる。
【発明の効果】
【００２９】
本発明の銃器用弾薬および銃器用弾薬を構成する薬莢、弾丸は、それぞれに応じた適切な形態でのＩＣタギングが実施されていることにより、銃器用弾薬の時系列的な流通経路を確認しながら市場に供給することができるので、銃犯罪が発生した場合における薬莢または弾丸に付与されたＩＤコードから、遡及的に銃器用弾薬の流通経路および最終所有者を特定することが可能であり、銃犯罪の犯人捜査に寄与することができるばかりでなく、銃犯罪の極めて効果的な抑止力として機能することができるという効果を奏する。
【発明を実施するための最良の形態】
【００３０】
以下、図面を引用しながら本発明に係る銃器用弾薬、薬莢および弾丸の実施の形態を説明する。
【００３１】
本発明の銃器用弾薬の弾丸１０は、鉛または鉛合金製のコア１１と、コア１１の外表面を被覆するメタルジャケット１６と、コア１１に搭載するＩＣメモリチップＭＴとからなる（図１（Ａ），（Ｂ））。
【００３２】
メタルジャケット１６は、銅または同合金、まれにはアルミニウム合金の薄板を所定形状にプレス加工してなる。コア１１は、プレス加工を経たメタルジャケット１６内に込められ、メタルジャケット１６をかしめ締めることによって一体化される。本実施の形態に示すメタルジャケット１６は、弾丸１０の弾底部１０Ｂにおいて開口しており、コア１１の底面１５は、弾底部１０Ｂにおいて露出している。
【００３３】
露出しているコア１１の底面１５の中心部には、半球形に窪んだ凹陥部１３が形成され、内部にＩＣメモリチップＭＴが搭載されている。ＩＣメモリチップＭＴは、ＩＣメモリチップＭＴをセットした凹陥部１３内に、接着能力の高い充填材料１４を流し込むことによって容易に脱落しないように封止されている。なお、この際の充填材料１４には、電波を通過させ易いものが選択されている。
【００３４】
一方、選択されたＩＣメモリチップＭＴは、受信した電波を電源として書き込まれたＩＤコードを送信するアンテナ内蔵のパッシブ型ＩＣメモリチップである。このＩＣメモリチップＭＴは、０．４ミリメートル角のプレート状の現時点で世界最小サイズのものであり、慣性質量は、無視し得る程度である。したがって、大きなＧ負荷に耐えることができる。メモリ素子はＲＯＭであり、メモリ容量は、１２８ビットである。このＲＯＭには、製造工程において１０３８桁の固有のＩＤコード書き込まれている。
【００３５】
弾丸１０は、ＩＣメモリチップＭＴを搭載しても何らの外形変化を伴なわず、したがって、通常の薬莢２０Ａの前端開口２１に装填して銃器用弾薬３０Ａとして用いることができる（図１（Ａ））。また、銃器から発射されて標的に命中した弾丸１０の弾頭部１０Ｆは、例えば、マッシュルーム変形と称する典型的な変形をする（図１（Ｂ））。しかし、変形が弾底部１０Ｂの中心位置にまで及ぶことは通常なく、弾底部１０ＢのＩＣメモリチップＭＴは、機能し得る状態で弾丸１０に残留する。つまり、ＩＣメモリチップＭＴに所定の周波数の電波を送信することによってＩＣメモリチップＭＴを起動させ、ＲＯＭに記録されたＩＤコードを読み取ることができるのである。したがって、販売に際しての弾丸１０の購入者の記録等から弾丸１０を発射した人物を特定し、または特定するための重要な手掛かりを入手することができる。
【００３６】
本発明は、メタルジャケット１６が弾底部１０Ｂに及んで閉じていることにより、コア１１の底面１５全体がメタルジャケット１６によって被覆されている弾丸１０にも適用することができる（図２）。この場合においては、メタルジャケット１６に装填する以前の
コア１１について、上記実施の形態に示すと同様に手段によってＩＣメモリチップＭＴを搭載して充填材料１４で封止し、これをメタルジャケット１６内にかしめ込めることによってＩＣメモリチップＭＴをメタルジャケット１６とコア１１との間に挟み込んだ状態とすることができる。また、メタルジャケット１６に図示しない透孔を形成し、透孔内にＩＣメモリチップＭＴを装填して充填材料で封止してもよい。
【００３７】
別の取付け方法としては、弾底部１０Ｂを被覆するメタルジャケット１６の底面に、外側に向けて半球形に膨出する膨出部１８を形成し（図３）、このに膨出部１８内にＩＣメモリチップＭＴ搭載し、その後にコア１１を装填することによって、ＩＣメモリチップＭＴをコア１１の底面とメタルジャケット１６との間に挟み込んだ状態として完成することができる。半球形の膨出部１８は、構造的に大きな圧力に耐える形状であり、内部のＩＣメモリチップＭＴを発射薬の爆発圧力から有効に保護する。
【００３８】
上記、２例の実施の形態に示す弾丸１０は、ＩＣメモリチップＭＴをメタルジャケット１６によって破壊から保護することができるので、使用可能なＩＣメモリチップＭＴの選定範囲を拡大することができる。ただし、ＩＣメモリチップＭＴに記録されたＩＤコードを読み取るには、弾丸１０を分解する些細な手数を要する。なお、図２および図３に示す弾丸１０は、弾頭部１０Ｆに穿孔１７を有するホローポイント弾の例である。この種の弾丸１０は、弾頭部１０Ｆが外側に開くように変形するが、変形が弾底部１０Ｂにまで及ぶことはない。
【００３９】
本発明の薬莢２０は、前端開口２１を有する筒部２２の他端を雷管２５を備える基底部２３で閉塞した一般的な形態を有する（図４（Ａ），（Ｂ））。基底部２３には、雷管２５を中心として８個の凹陥部２６，２６…が形成され、そのうちの任意の１個の凹陥部２６にＩＣメモリチップＭＴが搭載されるとともに、全ての凹陥部２６，２６…はを不透明な充填材料２７で封止されている。つまり、いずれの凹陥部２６にＩＣメモリチップＭＴが搭載されているか、外観から判断することができないようにされている。なお、不透明な充填材料２７には、電波を通過する組成物が採用され、ＩＣメモリチップＭＴには、電波を電源として書き込まれたＩＤコードを送信するアンテナ内蔵のパッシブ型ＩＣメモリチップが採用されている。この形態の薬莢２０使用する銃器用弾薬は、弾丸にＩＣメモリチップＭＴが搭載されているか否かにかかわらす、また、銃器用弾薬が使用される以前か以後かにかかわらず、非接触で銃器用弾薬を認識することができる。
【００４０】
本発明の銃器用弾薬３０は、本発明にかかる薬莢２０に対し、本発明にかかる弾丸１０を取付けてなる（図５）。ここで、重要なことは、弾丸１０に搭載されるＩＣメモリチップＭＴのＩＤコードと薬莢２０に搭載されるＩＣメモリチップＭＴのＩＤコードとが同一または関連付けされていることである。したがって、銃器用弾薬３０の形態においてＩＤコードを読み取り、銃器用弾薬３０の流通経路を正確に記録することができるとともに、発射後における薬莢２０から弾丸１０および所有者を特定し、または弾丸１０から得られる情報によって薬莢２０およびその所有者を特定することができる。
【００４１】
ここで、本発明の銃器用弾薬３０流通経路把握システムの例を説明する（図６）。なお、銃器用弾薬３０は、本人確認を条件にカートン３０Ｐ単位で譲渡されるものとする。
【００４２】
銃器用弾薬３０の出荷に際しては、全ての銃器用弾薬３０のＩＤコードををＩＣリーダ装置ＲＷで読み取り、ホストコンピュータＨＣのデータベースＤＢに格納する。読み取り作業は、非接触でカートン３０Ｐ単位の複数個同時読み取りで進行することができる。この際に読み取られているのは、薬莢２０のＩＤコードであるが、関連付けされた弾丸１０のＩＤコードも同時に記録することが可能である。
【００４３】
ＩＤコードのデータベースＤＢは、プライバシーを保護するための所定のアクセス条件下でホストコンピュータＨＣを介してインターネットＩＲに開放されている。本人確認を済ませて銃器用弾薬３０を入手した第１取得者Ｍ１、例えば、卸し売り業者は、販売する銃器用弾薬３０をＩＣリーダ装置ＲＷで読み取り、インターネットＩＲに接続した端末装置ＹＣでホストコンピュータＨＣにアクセスし、第２取得者Ｍ２の本人情報とともに情報交換する。
【００４４】
第２取得者Ｍ２は、例えば、銃器用弾薬３０の小売り業者である。銃器用弾薬３０を入手した第２取得者Ｍ２は、同様の手順を経て第３取得者Ｍ３に銃器用弾薬３０を譲渡する。この結果、銃器用弾薬３０の流通経路および最新の所有者は、データベースＤＢに記録される。そこで、犯罪現場等で弾丸１０または薬莢２０を発見した捜査権限を有するものは、インターネットＩＲ経由でそのＩＤコードをデータベースＤＢの情報と照合することによって、その弾丸１０等を使用した者を特定することができることとなる。
【図面の簡単な説明】
【００４５】
【図１】（Ａ）本発明の弾丸の実施の形態を示す銃器用弾薬の断面図である。              （Ｂ）上記弾丸の変形例を示す断面図である。
【図２】本発明の弾丸の他の実施の形態を示す断面図である。
【図３】本発明の弾丸の他の実施の形態を示す断面図である。
【図４】（Ａ）本発明の薬莢の実施の形態を示す斜視図である。              （Ｂ）上記薬莢の断面図である。
【図５】本発明の銃器用弾薬の実施の形態を示す断面図である。
【図６】本発明の銃器用弾薬の流通経路把握システム例を示す模式図である。
【符号の説明】
【００４６】
ＭＴ      ＩＣメモリチップ
１０      弾丸
１０Ｆ    弾頭部
１０Ｂ    弾底部
１１      コア
１３      凹陥部
１４      充填材料
１５      コアの底面
１６      メタルジャケット
２０      薬莢
２１      前端開口
２３      基底部
２５      雷管
２７      不透明の充填材料
３０      銃器用弾薬
【図１】
2006071179.tif 000003
【図２】
2006071179.tif 000004
【図３】
2006071179.tif 000005
【図４】
2006071179.tif 000006
【図５】
2006071179.tif 000007
【図６】
2006071179.tif 000008